(57)【特許請求の範囲】
【請求項１】
防草シートを用いた植栽において、苗の移植に用いられる底なしの器具であって、円筒形の筒部と、前記筒部の全周に亘って前記筒部から外に向かって突出する鍔部と、前記筒部の変形を可能にする切り込みと、互いの間に空間を有する複数の脚部と、前記筒部と前記脚部との間に設けられるテーパー部とを備える器具。
【請求項２】
防草シートを用いた植栽における苗の移植方法であって、土壌の上に防草シートを敷設し、前記防草シートに貫通孔を形成し、前記貫通孔から土壌を掘削し、掘削した穴に請求項１に記載の器具をはめ込み、前記器具の中にポットから取り外された苗を移植する工程を含み、土壌と前記器具の鍔部との間に前記防草シートを介在させる、苗の移植方法。
【請求項３】
前記貫通孔の形成時において、前記貫通孔の内径が前記器具の筒部の外径よりも小さい、請求項２に記載の苗の移植方法。
【請求項４】
土壌と前記鍔部との間に、中心から縁までの長さが前記鍔部の半径よりも長い第２の防草シートを介在させる、請求項２又は３に記載の苗の移植方法。
【発明の詳細な説明】
【技術分野】
【０００１】
本発明は、防草シートを用いた植栽において、苗の移植に用いられる器具及びその器具を用いた苗の移植方法に関する。
【背景技術】
【０００２】
従来、植物を人為的に植えて育てるという意味の植栽において、防草シートが用いられている。防草シートは、意図しない植物、いわゆる雑草の繁殖を防止するために土壌の上に敷設される。そのような植栽における苗の移植方法として、下記特許文献１は、苗を入れた「育苗ポット」と称される器具を防草シートの上から土壌の中に打ち込む方法を開示している。しかしながら、この方法では、器具の形状が円錐であるため、器具を設置した後に、器具と防草シートとの間に光の侵入を許容する隙間が生じ易い。その結果、この隙間から雑草が発芽するおそれが多分にある。また、器具の底が閉塞されているため、根の垂直方向への伸長が阻害され、さらに、器具の側面によって、根の水平方向への伸長も阻害されるという問題があった。
【０００３】
一方、下記特許文献２は、「防草キャップ」と称される器具を用いた苗の移植方法を開示している。この器具は、円筒形の筒部と、筒部から外に向かって突出する鍔部とを備えている。この方法によれば、土壌と器具の鍔部との間に防草シートを介在させるため、器具を設置した後に、器具と防草シートとの間に光の侵入を許容する隙間が生じ難く、また、器具の底が閉塞されていないため、根の垂直方向への伸長が阻害されないという利点がある。しかしながら、この方法では、器具の筒部が変形しないため、器具の中に苗を植える際に、根と筒部が強く擦れ合って根に損傷を与えるおそれがある。また、筒部の長さが長いため、筒部によって、根の水平方向への伸長が阻害されるという問題があった。
【先行技術文献】
【特許文献】
【０００４】
【特許文献１】特開平１１−２２９３８５号公報
【特許文献２】特開２００９−０１７８７３号公報
【発明の概要】
【発明が解決しようとする課題】
【０００５】
本発明が解決しようとする課題は、雑草の繁殖を防止し、かつ根に損傷を与え難い器具を提供すること、及びその器具を用いた苗の移植方法を提供することである。
【課題を解決するための手段】
【０００６】
上記課題を解決するため、本発明は、以下の器具及び苗の移植方法を提供する。
１．防草シートを用いた植栽において、苗の移植に用いられる底なしの器具であって、円筒形の筒部と、前記筒部の全周に亘って前記筒部から外に向かって突出する鍔部と、前記筒部の変形を可能にする切り込みと、互いの間に空間を有する複数の脚部と、前記筒部と前記脚部との間に設けられるテーパー部とを備える器具。
２．防草シートを用いた植栽における苗の移植方法であって、土壌の上に防草シートを敷設し、前記防草シートに貫通孔を形成し、前記貫通孔から土壌を掘削し、掘削した穴に前記１に記載の器具をはめ込み、前記器具の中にポットから取り外された苗を移植する工程を含み、土壌と前記器具の鍔部との間に前記防草シートを介在させる、苗の移植方法。
３．前記貫通孔の形成時において、前記貫通孔の内径が前記器具の筒部の外径よりも小さい、前記２に記載の苗の移植方法。
４．土壌と前記鍔部との間に、中心から縁までの長さが前記鍔部の半径よりも長い第２の防草シートを介在させる、前記２又は３に記載の苗の移植方法。
【発明の効果】
【０００７】
本発明によれば、器具が筒部の全周に亘って筒部から外に向かって突出する鍔部を備えるため、土壌と鍔部との間に防草シートを介在させることが可能である。したがって、雑草が発芽し得る隙間をなくして、雑草の繁殖を防止し得る。また、器具が筒部の変形を可能にする切り込みを備えるため、苗を植える際に筒部が変形して、根と筒部が強く擦れ合うことを防止し得る。その結果、根に損傷を与え難くすることが可能である。
【図面の簡単な説明】
【０００８】
【図１】図１は、本発明の実施例に係る器具の平面図である。
【図２】図２は、本発明の実施例に係る器具の正面図である。
【図３】図３は、図１のＡ−Ａ部断面図である。
【図４】図４は、本発明の実施例に係る器具の使用状態を示す断面図である。
【図５】図５は、本発明の実施例に係る器具を用いた苗の移植方法を説明するための図である。
【図６】図６は、本発明の実施例に係る器具を用いた苗の移植方法を説明するための図である。
【図７】図７は、本発明の実施例に係る器具を用いた苗の移植方法を説明するための図である。
【発明を実施するための形態】
【０００９】
以下、本発明の実施形態を図面を参照しながら具体的に説明するが、本発明の技術的範囲は以下の説明の内容に限定されるものではない。
【実施例】
【００１０】
図１〜図３に示したように、本発明の実施例に係る器具は、筒部１、鍔部２、切り込み３、複数の脚部４及びテーパー部５を備えている。
【００１１】
この器具は、底なしの器具である。この器具によれば、器具の底が閉塞されていないため、器具の中に植えられた植物の根Ｒが垂直方向に障害なく伸長可能である（図４参照）。
【００１２】
筒部１は、円筒形である。鍔部２は、筒部１の全周に亘って筒部１から外に向かって突出するように形成されている。切り込み３は、筒部１を変形可能にするために、鍔部２から複数の脚部４の基部までの間を縦断するように形成されている。筒部１は、切り込み３によって、拡大方向に変形可能である。
【００１３】
複数の脚部４は、互いの間に空間Ｓを有する。器具の中に植えられた植物の根Ｒは、空間Ｓを通過して水平方向に伸長可能である（図４参照）。鍔部２の底面から空間Ｓまでの長さＬは、筒部１などが水平方向に伸びる根Ｒの障害にならないようにするため、５ｍｍ〜２５ｍｍの範囲内で設定されることが好ましく、１０ｍｍ〜２０ｍｍの範囲内で設定されることがさらに好ましい。
【００１４】
テーパー部５は、筒部１と脚部４との間に設けられている。テーパー部５のテーパーは、筒部１とテーパー部５との境界の径が最も大きく、複数の脚部４の基部とテーパー部５との境界の径が最も小さくなるように設計された線形テーパーである。
【００１５】
次に、本実施例に係る器具を用いた苗の移植方法を説明する。
【００１６】
この方法では、まず、土壌６の上に防草シート７を敷設する。匍匐性植物の苗を植える場合には、シート表面から土壌６へ根を通すことが可能な防草シートを用いることが好ましい。
【００１７】
次に、防草シート７に貫通孔７ａを形成する。貫通孔７ａは、器具を設置し易くするため、防草シート７を貫通する円形の穴であることが好ましい。この場合、貫通孔７ａの内径Ｄ３は、土壌６と鍔部２との間に防草シート７を介在させるために、器具の鍔部２の外径Ｄ１よりも小さく設定されることが必要である（図５参照）。好ましい形態では、貫通孔７ａの内径Ｄ３が、貫通孔７ａの形成時において、器具の筒部１の外径Ｄ２よりも小さくなるように設定される（図５参照）。
【００１８】
次に、貫通孔７ａから土壌６を掘削する。掘削された穴８の内径Ｄ４は、貫通孔７ａの内径Ｄ３と同じか又は貫通孔７ａの内径Ｄ３よりも小さいことが好ましい（図５参照）。
【００１９】
次に、穴８に器具をはめ込む。器具を穴８にはめ込む際に、土壌６と器具の鍔部２との間に防草シート７を介在させる（図４参照）。器具はテーパー部５を有するため、図５に示したように、貫通孔７ａの内径Ｄ３が器具の筒部１の外径Ｄ２よりも小さい場合には、器具を穴８にはめ込むことによって、テーパー部５が貫通孔７ａを円滑に拡大させ、最終的に貫通孔７ａの縁の周辺部分７ｂが筒部１の外周面に密着する（図６参照）。したがって、防草シート７と器具との間に形成される隙間を確実になくすことが可能である。
【００２０】
器具を設置した後、苗をポットから取り外し、土９が根の周りに付着した状態の苗を器具の中に植え付ける。器具は切り込み３を有するため、苗を植える際に、筒部１が内側から外力を受けて拡大方向に変形する。したがって、この器具によれば、土９から露出する根と筒部１が強く擦れ合うことを防止し得る。その結果、根に損傷を与え難くすることが可能である。
【００２１】
実際の施工では、防草シート７に形成される貫通孔７ａの内径Ｄ３が設計寸法よりも大きい事態が起こり得る。例えば、貫通孔７ａの内径Ｄ３が鍔部２の外径Ｄ２よりも大きい場合には、防草シート７と器具との間に光の侵入を許容する隙間が発生する。これを防止するため、土壌６と鍔部２との間に第２の防草シート１０を介在させることが好ましい（図７参照）。第２の防草シート１０としては、第２の防草シート１０の中心から縁までの長さが器具の鍔部２の半径ｒ１よりも長いものを採用し得る。例えば、第２の防草シート１０が円形の場合には、第２の防草シート１０の半径ｒ２（中心から縁までの長さ）が鍔部２の半径ｒ１よりも大きいため、防草シート７と器具との間に形成された隙間を第２の防草シート１０で塞ぐことが可能になる（図７参照）。その結果、雑草の発芽を効果的に抑制することが可能になる。
【符号の説明】
【００２２】
１  筒部
２  鍔部
３  切り込み
４  脚部
５  テーパー部
６  土壌
７  防草シート
７ａ  貫通孔
７ｂ  貫通孔の縁の周辺部分
８  穴
９  土
１０  第２の防草シート
Ｄ１  鍔部の外径
Ｄ２  筒部の外径
Ｄ３  貫通孔の内径
Ｄ４  掘削された穴の内径
Ｌ  鍔部の底面から空間までの長さ
Ｒ  植物の根
ｒ１  鍔部の半径
ｒ２  第２の防草シートの半径
Ｓ  空間
【図１】
0006621331.tif 000002
【図２】
0006621331.tif 000003
【図３】
0006621331.tif 000004
【図４】
0006621331.tif 000005
【図５】
0006621331.tif 000006
【図６】
0006621331.tif 000007
【図７】
0006621331.tif 000008